(57)【要約】ユーザが、移動無線電話機を使用してインターネットを介してコンテンツまたはサービスを注文することができる支払いのシステムおよび方法を開示する。移動電話機は、インターネットを介して（例えば、無線アプリケーション・プロトコルを使用して）コンテンツ・プロバイダまたはサービス・プロバイダに結合することができる。ユーザは、移動電話機に関する請求書で購入されたコンテンツまたはサービスの料金請求を受けることができる。【特許請求の範囲】
【請求項１】
遠隔通信ネットワークを介する支払いを円滑にするための方法であって、
ユーザから購入要求を受信するステップと、
前記購入要求に関連する保証要求を前記遠隔通信ネットワークに関連するネットワーク・プロバイダに送信するステップと、
前記ネットワーク・プロバイダが前記ユーザを保証するかどうかを判定するステップと、
前記ネットワーク・プロバイダが前記ユーザを保証する場合、前記購入要求に関連する品目またはサービスを解放するステップと、
前記ネットワーク・プロバイダが、前記購入要求に関連する前記解放された品目またはサービスの代価の支払いを前記ユーザから要求するステップとを含む方法。
【請求項２】
前記遠隔通信ネットワークが、インターネットを含む請求項１に記載の方法。
【請求項３】
前記ネットワーク・プロバイダが、インターネット・サービス・プロバイダ（ＩＳＰ）を含む請求項１に記載の方法。
【請求項４】
前記受信するステップが、コンテンツ・プロバイダまたはサービス・プロバイダがインターネットを介して前記ユーザから前記購入要求を受信するステップを含む請求項１に記載の方法。
【請求項５】
前記送信するステップが、
コンテンツ・プロバイダまたはサービス・プロバイダが、前記購入要求に関連する保証要求を支払いシステムに送信するステップと、
前記支払いシステムが、前記保証要求を前記遠隔通信ネットワークに関連する前記ネットワーク・プロバイダに送信するステップとを含む請求項１に記載の方法。
【請求項６】
前記特定するステップが、
前記ユーザが前記ネットワーク・プロバイダに関連しているかどうかを支払いシステムが判定するステップと、
前記ユーザが前記ネットワーク・プロバイダに関連している場合、前記ネットワーク・プロバイダが前記ユーザを保証するかどうかを判定するステップとを含む請求項１に記載の方法。
【請求項７】
前記ネットワーク・プロバイダが前記ユーザから支払いを要求する前記ステップが、前記ネットワーク・プロバイダが、前記購入要求に関連する前記解放された品目またはサービスの料金請求を含む請求書を前記ユーザに送るステップを含む請求項１に記載の方法。
【請求項８】
遠隔通信ネットワークを介する支払いを円滑にするための方法であって、
無線通信ユニットおよび前記遠隔通信ネットワークを介して品目またはサービスの購入要求を送信するステップと、
前記ユーザが前記遠隔通信ネットワークのネットワーク・プロバイダに関連しているかどうかを判定するステップと、
前記ユーザが前記遠隔通信ネットワークのネットワーク・プロバイダに関連していない場合、前記ユーザから前記無線通信ユニットに関連する識別情報を要求するステップと、
前記ユーザが識別情報を求める前記要求に応答した場合、前記ユーザおよび前記購入要求に関連する取引電話番号を割り当てるステップと、
前記取引電話番号に対する電話呼出しが受信された場合、前記購入要求に関連する品目またはサービスを解放するステップと、
前記購入要求に関連する品目またはサービスの代価の支払いを前記ユーザから要求するステップとを含む方法。
【請求項９】
前記支払いを要求する前記ステップが、無線通信ネットワーク・プロバイダが前記ユーザから前記支払いを要求するステップを含む請求項８に記載の方法。
【請求項１０】
前記遠隔通信ネットワークが、インターネットを含む請求項８に記載の方法。
【請求項１１】
前記ネットワーク・プロバイダが、インターネット・サービス・プロバイダ（ＩＳＰ）を含む請求項８に記載の方法。
【請求項１２】
前記受信するステップが、コンテンツ・プロバイダまたはサービス・プロバイダが、移動無線電話ネットワークおよびインターネットを介して前記ユーザから前記購入要求を受信するステップを含む請求項８に記載の方法。
【請求項１３】
前記識別情報が、移動無線電話番号を含む請求項８に記載の方法。
【請求項１４】
前記判定するステップが、前記ユーザが前記ネットワーク・プロバイダに関連しているかどうかを支払いシステムが判定するステップを含む請求項８に記載の方法。
【請求項１５】
前記ユーザから支払いを要求する前記ステップが、無線通信ネットワーク・プロバイダが、前記購入要求に関連する前記解放された品目またはサービスの料金請求を含む請求書を前記ユーザに送るステップを含む請求項８に記載の方法。
【請求項１６】
遠隔通信ネットワークを介する支払いを円滑にするためのシステムであって、
ネットワーク・プロバイダに関連する第１の処理ユニットと、
前記第１の処理ユニットに結合された、コンテンツ・プロバイダまたはサービス・プロバイダに関連する第２の処理ユニットと、
前記第１の処理ユニットおよび前記第２の処理ユニットが結合された支払いプロセッサ・ユニットとを含み、前記第１の処理ユニットと前記第２の処理ユニットと前記支払いプロセッサ・ユニットが共同して、
ユーザから購入要求を受信し、
前記購入要求に関連する保証要求を前記遠隔通信ネットワークに関連するネットワーク・プロバイダに送信し、
前記ネットワーク・プロバイダが前記ユーザを保証するかどうかを判定し、
前記ネットワーク・プロバイダが前記ユーザを保証する場合、前記購入要求に関連する品目またはサービスを解放し、
前記購入要求に関連する前記解放された品目またはサービスの代価の支払いを前記ユーザから要求するように動作するシステム。
【請求項１７】
前記遠隔通信ネットワークが、インターネットを含む請求項１６に記載のシステム。
【請求項１８】
前記ネットワーク・プロバイダが、インターネット・サービス・プロバイダ（ＩＳＰ）を含む請求項１６に記載のシステム。
【請求項１９】
前記第２の処理ユニットが、インターネットを介して前記ユーザから前記購入要求を受信するようにさらに動作する請求項１６に記載のシステム。
【請求項２０】
前記第２の処理ユニットおよび前記支払いプロセッサ・ユニットが、前記購入要求に関連する保証要求を前記遠隔通信ネットワークに関連する前記ネットワーク・プロバイダに送信するようにさらに動作する請求項１６に記載のシステム。
【請求項２１】
前記支払いプロセッサ・ユニットが、
前記ユーザが前記ネットワーク・プロバイダに関連しているかどうかを判定し、
前記ユーザが前記ネットワーク・プロバイダに関連している場合、前記ネットワーク・プロバイダが前記ユーザを保証するかどうかを判定するようにさらに動作する請求項１６に記載のシステム。
【請求項２２】
前記第１の処理ユニットが、前記購入要求に関連する前記解放された品目またはサービスの料金請求を含む請求書を前記ユーザに送信するようにさらに動作する請求項１６に記載のシステム。
【請求項２３】
遠隔通信ネットワークを介する支払いを円滑にするためのシステムであって、
前記遠隔通信ネットワークに結合された無線遠隔通信ネットワークと、
前記無線遠隔通信ネットワークに関連する第１の処理ユニットと、
前記第１の処理ユニットに結合された、コンテンツ・プロバイダまたはサービス・プロバイダに関連する第２の処理ユニットと、
前記第２の処理ユニットが結合された支払いプロセッサ・ユニットとを含み、前記第１の処理ユニットと前記第２の処理ユニットと前記支払いプロセッサ・ユニットが共同して、
前記第１の処理ユニットおよび前記遠隔通信ネットワークを介して品目またはサービスの購入要求を送信し、
前記ユーザが前記遠隔通信ネットワークのネットワーク・プロバイダに関連しているかどうかを判定し、
前記ユーザが前記遠隔通信ネットワークのネットワーク・プロバイダに関連していない場合、前記無線通信ユニットに関連する識別情報を前記ユーザから要求し、
前記ユーザが識別情報を求める前記要求に応答した場合、前記ユーザおよび前記購入要求に関連する取引電話番号を割り当て、
前記取引電話番号に対する電話呼出しが受信された場合、前記購入要求に関連する品目またはサービスを解放し、
前記購入要求に関連する前記解放された品目またはサービスの代価の支払いを前記ユーザから要求するように動作するシステム。
【請求項２４】
前記第２の処理ユニットが、前記支払いを前記ユーザから要求するようにさらに動作する請求項２３に記載のシステム。
【請求項２５】
前記遠隔通信ネットワークが、インターネットを含む請求項２３に記載のシステム。
【請求項２６】
前記ネットワーク・プロバイダが、インターネット・サービス・プロバイダ（ＩＳＰ）を含む請求項２３に記載のシステム。
【請求項２７】
前記第２の処理ユニットが、移動無線電話ネットワークおよびインターネットを介して前記ユーザから前記購入要求を受信するようにさらに動作する請求項２３に記載のシステム。
【請求項２８】
前記識別情報が、移動無線電話番号を含む請求項２３に記載のシステム。
【請求項２９】
前記支払いプロセッサ・ユニットが、前記ユーザが前記ネットワーク・プロバイダに関連しているかどうかを判定するようにさらに動作する請求項２３に記載のシステム。
【請求項３０】
前記購入要求に関連する前記解放された品目またはサービスの料金請求を含む請求書を前記ユーザに送信するように動作する無線通信ネットワークをさらに含む請求項２３に記載のシステム。
【請求項３１】
コンピュータ可読メディアで実体化された遠隔通信ネットワークを介する支払いを円滑にするためのソフトウェアであって、
実行された際、
ユーザから購入要求を受信し、
前記購入要求に関連する保証要求を前記遠隔通信ネットワークに関連するネットワーク・プロバイダに送信し、
前記ネットワーク・プロバイダが前記ユーザを保証するかどうかを判定し、
前記ネットワーク・プロバイダが前記ユーザを保証する場合、前記購入要求に関連する品目またはサービスを解放し、
前記購入要求に関連する前記解放された品目またはサービスの代価の支払いを前記ユーザから要求するように動作するソフトウェア。
【請求項３２】
コンピュータ可読メディアで実体化された遠隔通信ネットワークを介する支払いを円滑にするためのソフトウェアであって、
実行された際、無線通信ユニットおよび前記遠隔通信ネットワークを介して品目またはサービスの購入要求を送り、
前記ユーザが前記遠隔通信ネットワークのネットワーク・プロバイダに関連しているかどうかを判定し、
前記ユーザが前記遠隔通信ネットワークのネットワーク・プロバイダに関連していない場合、前記無線通信ユニットに関連する識別情報を前記ユーザから要求し、
前記ユーザが識別情報を求める前記要求に応答した場合、前記ユーザおよび前記購入要求に関連する取引電話番号を割り当て、
前記取引電話番号に対する電話呼出しが受信された場合、前記購入要求に関連する品目またはサービスを解放し、
前記購入要求に関連する前記解放された品目またはサービスの代価の支払いを前記ユーザから要求するように動作するソフトウェア。
【発明の詳細な説明】
【技術分野】
【０００１】
本発明は、一般に電子商取引に関し、詳細には、ただし排他的にではなく、インターネットを介する支払いを円滑にするためのシステムおよび方法に関する。
【背景技術】
【０００２】
インターネットを介して無形の商品（例えば、情報またはコンテンツ）の販売が急速に増加するとともに、従来の方法を使用して支払いを処理する費用が、関与する商品よりも高価になっている。電子支払いは、提供される（例えば、インターネットを介して）情報またはサービスが、比較的小さい増分で計量しながら供給され（ｍｅｔｅｒｅｄ  ｏｕｔ）、料金請求される（ｃｈａｒｇｅ）比較的新しい支払い形態である。現在、インターネット環境において、電子支払いは、従来の電話料金請求、自動料金請求（ａｕｔｏｍａｔｉｃ  ｔｏｌｌ  ｃｈａｒｇｅ）、および一部のデジタル・キャッシュ・アプリケーション（ｄｉｇｉｔａｌ  ｃａｓｈ  ａｐｐｌｉｃａｔｉｏｎ）に関して行うことができる。
【０００３】
コンテンツ（例えば、テキスト、イメージ、マルチメディア）のプロバイダは、供給されるコンテンツの価値に応じてユーザに料金請求できること（価値ベースの料金請求）をますます切望するようになっている。他方、コンテンツのユーザは、プロバイダが、より強いセキュリティで保護された信頼できる便利な支払いシステムおよびデリバリ・システム（ｄｅｌｉｖｅｒｙ  ｓｙｓｔｅｍ）を、ただし、被る取引費用（ｔｒａｎｓａｃｔｉｏｎ  ｃｏｓｔ）が最小限で、または全くなしに提供することを要求している。現在、例えば、Ｐａｙｂｏｘ（登録商標）支払いシステムおよびＪａｍｂａ（登録商標）支払いシステムを含め、およそ５０の支払いシステムが存在する。しかし、既存の支払いのセキュリティ、信頼性、および便利さの諸問題のため、それらの提供されるシステムは、未だユーザに受け入れられていない。さらに、インターネット取引支払いシステムの既存の要件は、加入ベースであり、このことにより、最初から、潜在的ユーザに相当な費用の敷居が課せられる。それらの既存の支払い手法は、インターネットを介して商品およびサービスを購入することに関してユーザの反応のよさを抑圧する作用をする。したがって、コンテンツ・プロバイダが、供給されるコンテンツの価値に応じて料金請求することができるようにし、最小限の取引費用しか被ることなしに、セキュリティで保護された信頼できる便利な支払いシステムおよびデリバリ・システムも提供する支払いのシステムおよび方法の相当な必要性が存在する。
【発明の開示】
【発明が解決しようとする課題】
【０００４】
本発明によれば、支払いを円滑にするための従来の技術に関連する諸問題および欠点を軽減する、またはなくすことができる。
【０００５】
基本的には、本発明によれば、支払いを処理するための独立の第三者をモバイル・ネットワーク事業者（ｍｏｂｉｌｅ  ｎｅｔｗｏｒｋ  ｏｐｅｒａｔｏｒ）、コンテンツ・プロバイダ、および銀行の間に導入することができる支払いを処理するための方法およびシステムが提供される。結果として、支払いを処理するための方法およびシステムは、すべての接続されたコンテンツ・プロバイダおよびネットワーク事業者の間に相互運用性をもたらすことができる。
【課題を解決するための手段】
【０００６】
本発明の１つの典型的な実施形態によれば、ユーザは、移動無線電話機（ｍｏｂｉｌｅｒａｄｉｏｔｅｌｅｐｈｏｎｅ）を使用してコンテンツを注文することができる。移動電話（ｍｏｂｉｌｅ  ｐｈｏｎｅ）は、インターネットを介して（例えば、無線アプリケーション・プロトコルを使用して）コンテンツ・プロバイダに結合される。ユーザは、移動電話機に関する請求書を介して料金請求を受けることができる。そのため、ネットワーク事業者が、銀行の役割を担うことができる。
【０００７】
本発明の重要な技術的利点は、購入者が提供されたコンテンツに価値に応じて料金請求されることが可能な、支払いを処理するための方法およびシステムが提供されることである。
【０００８】
本発明の別の重要な技術的利点は、支払いを行うための方法およびシステムが、セキュリティで保護された信頼できる便利な支払いおよびデリバリのチャネルを提供することである。
【０００９】
本発明のさらに別の重要な技術的利点は、ユーザに最小限の取引費用しかかからない支払いを行うための方法およびシステムが提供されることである。
【００１０】
本発明のさらに別の重要な技術的利点は、エンド・ユーザがリアルタイムで認証されることが可能であり、これにより、１つのエンティティから別のエンティティへの資金の即時の振替が可能になる、支払いを行うための方法およびシステムが提供されることである。このため、モバイル・ネットワーク事業者の認証機能を、例えば、固定のインターネット、対話型ＴＶ、および売場などの他の文脈のために導入することができる。
【００１１】
本発明のその他の技術的利点は、以下の図、説明、および特許請求の範囲から当業者には容易に明白となろう。
【００１２】
本発明、および本発明の利点のより完全な理解のため、次に、添付の図面と併せて理解される以下の説明を参照する。
【発明を実施するための最良の形態】
【００１３】
本発明の好ましい実施形態、および本発明の利点は、同様の符号が様々な図面の同様な対応する部分に対して使用されている図面の図１〜４を参照することにより、よく理解される。
【００１４】
図１は、本発明の１つの典型的な実施形態による支払いを実施するのに使用することができる典型的なシステム１００を示す図である。この典型的な実施形態に関して、システム１００は、インターネット・サービス・プロバイダ（ＩＳＰ）の認証サーバ１０４を含むことが可能である。認証サーバ１０４の主要な機能は、ユーザ１０２が、例えば、ハイパーテキスト・マークアップ言語（ＨＴＭＬ）などの通常のユーザ・インタフェース言語を使用して、インターネット１０８を介してコンテンツを送信する、またはインターネット１０８からコンテンツを受信することができるようにすることである。Ｗｅｂサーバ１１０が、Ｗｅｂブラウザ（例えば、Ｍｉｃｒｏｓｏｆｔ  Ｉｎｔｅｒｎｅｔ  ＥｘｐｌｏｒｅｒまたはＮｅｔｓｃａｐｅ  Ｎａｖｉｇａｔｏｒ）を介してユーザからコンテンツを求める要求を受け入れることができる。例えば、Ｗｅｂサーバ１１０は、Ｍｉｃｒｏｓｏｆｔ  Ｉｎｔｅｒｎｅｔ  Ｉｎｆｏｒｍａｔｉｏｎ  Ｓｅｒｖｅｒ（ＩＩＳ）を使用して実施することができる。
【００１５】
やはりこの典型的な実施形態に関して、システム１００は、支払いプロセッサ・ユニット１１２を含むことが可能である。支払いプロセッサ・ユニット１１２の主要な機能は、ユーザ認証情報を管理し、ユーザ１０２とコンテンツ・プロバイダまたはサービス・プロバイダ１１０の間で支払い情報を処理することである。支払いプロセッサ・ユニット１１２は、ユーザ認証情報を管理するため、および／またはユーザ１０２とコンテンツ・プロバイダまたはサービス・プロバイダ１１０の間で支払い情報を処理するためのアプリケーション・ソフトウェアを実行することができるデジタル・プロセッサ、または任意の適切なデジタル処理デバイスであることが可能である。例えば、支払いプロセッサ・ユニット１１２は、サーバであることが可能である。第１のデータベース（または適切なデータ記憶領域）１０６が、ネットワーク・ゲートウェイの認証サーバ１０４に関連し、第２のデータベース（または適切なデータ記憶領域）１１４が、支払いプロセッサ・ユニット１１２に関連している。
【００１６】
図２は、本発明の１つの典型的な実施形態を実施するのに使用することができる典型的な方法２００を示している。この実施形態では、方法２００は、図１に示すとおり支払いプロセッサ・ユニット１１２に結合された（例えば、適切な遠隔通信接続を介して）ネットワーク・プロバイダの認証サーバ（例えば、１０４）を使用して実施することができる。方法２００のステップ２０２で、ユーザ（例えば、ユーザ１０２）が、ネットワーク・プロバイダを介してインターネット１０８にログインすることができる（例えば、認証サーバ１０４を介して）。ステップ２０４で、適切なブラウザを使用して、ユーザ１０２は、コンテンツ／サービス・プロバイダ１１０のＷｅｂページまでインターネット１０８をナビゲートすることができる。この例では、コンテンツ／サービス・プロバイダ１１０のＷｅｂページは、ユーザ１０２がプロバイダ１１０から購入するように用意されていることが可能なコンテンツまたはサービスのカタログへのリンクを含むことが可能である。ステップ２０６で、ユーザ１０２は、カタログを閲覧し（例えば、ブラウザを使用して）、購入のためにサービス項目またはコンテンツ項目を選択することができる。
【００１７】
ステップ２０８で、ユーザの購入要求に応答して、コンテンツ／サービス・プロバイダ１１０は、ユーザおよび購入取引を保証するように支払いプロセッサ・ユニット１１２に求める要求を支払いプロセッサ・ユニット１１２に伝送することができる。また、主に認証の目的で、伝送される要求は、ユーザ１０２に関連するデバイスのインターネット・プロトコル（ＩＰ）アドレス（またはユーザ１０２に関する他の適切なネットワーク・アドレス）を含むことが可能である。ステップ２１０で、支払いプロセッサ・ユニット１１２は、いずれのネットワーク・プロバイダにユーザが接続されているかを特定することができる。例えば、支払いプロセッサ・ユニット１１２は、自らが結合されている各ネットワーク・プロバイダ（例えば、サーバ１０４に関連するＩＳＰ）にクエリを行うことによってこの特定を行うことができる。クエリは、ユーザのＩＰアドレスを含むことが可能である。この例では、ＩＳＰは、ユーザ１０２に関して関連するデータベース１０６の中に含まれる関連情報を探索することができる（例えば、支払いプロセッサ・ユニット１１２によって提供されたＩＰアドレスを使用して）。このクエリは、支払いシステム・インフラストラクチャ内部に保持されることが可能なＩＰアドレスのリストを使用することにより、単純化することができる。別の例として、支払いプロセッサ・ユニット１１２は、ユーザ１０２に関する関連情報を独自の関連するデータベース１１４で探すことができる。その場合、データベース１１４は、支払いプロセッサ１１２に結合された各ネットワーク・プロバイダに関する関連ユーザ情報を含むことが可能である。
【００１８】
購入を行っているユーザ（例えば、１０２）をネットワーク・プロバイダに関連付けることができた場合、ステップ２１２で、支払いプロセッサ・ユニット１１２は、その点で、そのネットワーク・プロバイダとのユーザの関係を「保証する」、または認証することができる。ステップ２１４で、支払いプロセッサ・ユニット１１２は、ユーザの購入要求を保証する（または支持する）ように料金請求システムに求める要求を、関与するネットワーク・プロバイダ（例えば、１０４）の料金請求システムに伝送する。ステップ２１５でネットワーク・プロバイダの料金請求システムが、ユーザの購入要求を保証した場合、ステップ２１６で、支払いプロセッサ・ユニット１１２は、コンテンツ／サービス・プロバイダ１１０にメッセージを伝送することができ、このメッセージにより、支払いプロセッサ・ユニット１１２は、ユーザの購入要求を保証することができる。ステップ２１８で、コンテンツ／サービス・プロバイダ１１０は、購入の代金の支払いをネットワーク・プロバイダ１０４からのユーザの電話料金請求によって行うことができるかどうかをユーザに尋ねる要求をユーザ１０２に表示することができる（例えば、インターネットを介してユーザのブラウザを使用して）。ステップ２１９で、支払いのために電話料金請求を使用できることをユーザがコンテンツ／サービス・プロバイダに確認した場合（例えば、ブラウザを使用して）、ステップ２２０で、コンテンツ／サービス・プロバイダ１１０は、購入されたコンテンツまたはサービスをユーザ１０２に解放することができる。ステップ２２２で、コンテンツ／サービス・プロバイダ１１０は、解放されたコンテンツまたはサービスに関してユーザ１０２に料金請求する要求を支払いプロセッサ・ユニット１１２に伝送する。ステップ２２４で、支払いプロセッサ・ユニット１１２は、ユーザ１０２に関する関連料金請求イベント情報を関連するネットワーク・プロバイダ（例えば、１０４）に伝送することができる。ステップ２２６で、ユーザのネットワーク・プロバイダは、ユーザの電話料金請求でユーザから購入済みのコンテンツまたはサービスの代価の支払いを要求することができる。ステップ２２８で、定期的な間隔で（例えば、各月末に）、支払いプロセッサ・ユニット１１２は、いずれの支払いがいずれのコンテンツ／サービス・プロバイダ（例えば、１１０）に解放されるかをネットワーク・プロバイダに知らせることができる支払い決済情報（ｐａｙｍｅｎｔ  ｃｌｅａｒａｎｃｅ  ｉｎｆｏｒｍａｔｉｏｎ）を各ネットワーク・プロバイダ（例えば、１０４）に伝送することができる。
【００１９】
図３は、本発明の第２の典型的な実施形態による支払いを実施するのに使用することができる典型的なシステム３００を示している。このケースでは、ユーザは、アクセスするのに移動電話機を使用することなしに、一部のタイプのコンテンツにアクセスすることができる。ユーザが、ユーザのパーソナル・コンピュータのＷｅｂブラウザを介してアクセスされる商品またはサービスを購入することを所望する場合、ユーザの移動デバイスと（例えば、匿名の）Ｗｅｂサーファーの間で関係を確立するために何らかのアクションが必要である可能性がある。例えば、このアクションは、特定のＳｈｏｒｔ  Ｍｅｓｓａｇｅ  Ｓｅｒｖｉｃｅ（ＳＭＳ）メッセージを送る電話呼出しであること、または移動電話機を使用したＵｎｓｔｒｕｃｔｕｒｅｄ  Ｓｕｐｐｌｅｍｅｎｔａｒｙ  Ｓｅｒｖｉｃｅ  Ｄａｔａ（ＵＳＳＤ）サービス番号へのダイヤル呼出しであることが可能である。
【００２０】
この典型的な実施形態に関して、システム３００は、移動無線電話システム３０４を含むことが可能である。移動システム３０４の主要な機能は、ユーザ３０２が、移動無線電話機（例えば、セルラー電話機）を使用して、インターネット３０８を介してコンテンツを送信する、またはインターネット３０８からコンテンツを受信することができるようにすることである。移動システム３０４は、ユーザ３０２からのコンテンツを求める要求を入力することができる。例えば、この要求は、無線アプリケーション・プロトコル（ＷＡＰ）を使用して移動システム３０４から行うことができる。
【００２１】
やはりこの典型的な実施形態に関して、システム３００は、支払いプロセッサ・ユニット３１２を含むことが可能である。支払いプロセッサ・ユニット３１２の主要な機能は、ユーザ認証情報を管理し、ユーザ３０２とコンテンツ・プロバイダまたはサービス・プロバイダ３１０の間で支払い情報を処理することである。支払いプロセッサ・ユニット３１２は、ユーザ認証情報を管理するため、および／またはユーザ３０２とコンテンツ・プロバイダまたはサービス・プロバイダ３１０の間で支払い情報を処理するためのアプリケーション・ソフトウェアを実行することができるデジタル・プロセッサ、または任意の適切なデジタル処理デバイスであることが可能である。例えば、支払いプロセッサ・ユニット３１２は、サーバであることが可能である。第１のデータベース（または適切なデータ記憶領域）３０６が、移動システム３０４に関連し、第２のデータベース（または適切なデータ記憶領域）３１４が、支払いプロセッサ・ユニット３１２に関連している。
【００２２】
図４は、本発明の第２の典型的な実施形態を実施するのに使用することができる典型的な方法４００を示している。この実施形態の場合、方法４００を使用して、図３に示す典型的なシステム３００を実施することができる（例えば、ネットワーク・プロバイダが支払いプロセッサ・ユニット３１２に結合されずに）。方法４００のステップ４０２で、ユーザ（例えば、ユーザ３０２）が、無線プロバイダを介してインターネット３０８にログインすることができる（例えば、ＷＡＰを使用して移動システム３０４を介して）。ステップ４０４で、移動電話機を使用して、ユーザ３０２は、コンテンツ／サービス・プロバイダ３１０のＷｅｂページまでインターネット３０８をナビゲートすることができる。この例では、コンテンツ／サービス・プロバイダ３１０のＷｅｂページは、ユーザ３０２がプロバイダ３１０から購入するように用意されていることが可能なコンテンツまたはサービスのカタログへのリンクを含むことが可能である。ステップ４０６で、ユーザ３０２は、カタログを閲覧し（例えば、無線電話機のディスプレイを使用して）、購入のためにサービス項目またはコンテンツ項目を選択することができる。
【００２３】
ステップ４０８で、ユーザの購入要求に応答して、コンテンツ／サービス・プロバイダ３１０は、ユーザおよび購入取引を保証するように支払いプロセッサ・ユニット３１２に求める要求を支払いプロセッサ・ユニット３１２に伝送することができる。また、主に認証の目的で、伝送される要求は、ユーザ３０２に関連するデバイス（例えば、セルラー電話機）のインターネット・プロトコル（ＩＰ）アドレス（またはユーザ３０２に関する他の適切なネットワーク・アドレス）を含むことが可能である。ステップ４１０で、支払いプロセッサ・ユニット３１２は、いずれの無線システムにユーザが接続されているかを特定しようと試みる。
【００２４】
ステップ４１２で、支払いプロセッサ・ユニット３１２は、支払いプロセッサ・ユニット３１２に結合された購入側ユーザ用のネットワーク・プロバイダが存在しないことをコンテンツ／サービス・プロバイダ３１０に知らせるメッセージをプロバイダ３１０に伝送する。また、同一のメッセージまたは別個のメッセージの中で、支払いプロセッサ・ユニット３１２は、ユーザから移動電話番号を獲得するようにコンテンツ／サービス・プロバイダ３１０に要求することができる。ステップ４１４で、コンテンツ／サービス・プロバイダは、ユーザがオンラインで有効な移動電話番号を入力する要求を伝送する（例えば、インターネットおよびユーザの無線電話機を介して）。ステップ４１６で、移動電話番号を求める要求に応答して、ユーザは、コンテンツ／サービス・プロバイダのＷｅｂページ上で番号を入力することができる（例えば、ユーザの無線電話機を使用して）。ステップ４１８で、コンテンツ／サービス・プロバイダ３１０は、メッセージを支払いプロセッサ・ユニット３１２に伝送することができ、このメッセージは、ユーザによって入力された移動電話番号を含む。
【００２５】
ステップ４２０で、支払いプロセッサ・ユニット３１２は、そのユーザの購入取引にトランザクション・モバイル・ペイメント（Ｔｒａｎｓａｃｔｉｏｎ  Ｍｏｂｉｌｅ  Ｐａｙｍｅｎｔ）（ＴＭＰ）電話番号を割り当てることができる。例えば、支払いプロセッサ・ユニット３１２は、管理される電話リスト（例えば、データベース３１４の中に格納された）から取り出されたＴＭＰ番号を割り当てることができる。ステップ４２２で、支払いプロセッサ・ユニット３１２は、そのユーザおよび購入要求に割り当てられたＴＭＰ番号をコンテンツ／サービス・プロバイダ３１０へのメッセージの中で伝送することができる。ステップ４２４で、コンテンツ／サービス・プロバイダ３１０は、このＴＭＰ番号をメッセージの中でユーザ３０２に伝送することができ（例えば、インターネット３０８を介して）、このメッセージは、ユーザの移動電話料金請求書上における購入額の支払いを確約するためにＴＭＰ番号を呼び出すようにユーザ３０２に要求することもできる。
【００２６】
ステップ４２６で、ユーザは、移動電話機を使用してＴＭＰ番号をダイヤル呼出しすることができる。ステップ４２８で、ユーザのＴＭＰ番号電話呼出しに応答すると、支払いプロセッサ・ユニット３１２は、ユーザが割り当てられたＴＭＰ番号をダイヤル呼出ししたことをコンテンツ／サービス・プロバイダに知らせるメッセージをコンテンツ／サービス・プロバイダ３１０に伝送することができる。また、同一のメッセージまたは異なるメッセージの中で、支払いプロセッサ・ユニット３１２は、ユーザの要求する購入を支払いプロセッサ・ユニット３１２が保証することができることをコンテンツ／サービス・プロバイダに確証することができる。ステップ４３０で、コンテンツ／サービス・プロバイダ３１０は、購入されたコンテンツまたはサービスをユーザ３０２に解放することができる。ステップ４３２で、ユーザの移動電話ネットワーク・プロバイダ３０４は、ユーザの電話料金請求でユーザから、購入済みのコンテンツまたはサービスの代価の支払いを要求することができる。ステップ４３４で、定期的な間隔で（例えば、各月末に）、支払いプロセッサ・ユニット３１２は、いずれの支払いがいずれのコンテンツ／サービス・プロバイダ（例えば、３１０）に解放されるかを移動電話ネットワーク・プロバイダに知らせることができる支払い決済情報を各移動電話ネットワーク・プロバイダに伝送することができる。例えば、支払いプロセッサ・ユニット３１２は、ユーザの電話番号（または移動電話機用のユーザのＩＰアドレス）をデータベース３１４で探すことにより、いずれの移動電話ネットワーク・プロバイダが特定のユーザに関連しているかを特定することができる。データベース３１４は、ユーザ、ならびにユーザの移動電話番号のモバイル・ネットワーク・プロバイダに対するマッピングを含むことが可能である。
【００２７】
本発明の方法および装置の好ましい実施形態を添付の図面および以上の詳細な説明で例示してきたが、本発明は、開示した実施形態には限定されず、添付の特許請求の範囲で記載し、定義する本発明の趣旨を逸脱することなく、多数の組換え、変更、および置換が可能であることを理解されたい。
【図面の簡単な説明】
【００２８】
【図１】本発明の１つの典型的な実施形態による支払いを実施するのに使用することができる典型的なシステムを示す図である。
【図２】本発明の１つの典型的な実施形態を実施するのに使用することができる典型的な方法を示す図である。
【図３】本発明の第２の典型的な実施形態による支払いを実施するのに使用することができる典型的なシステムを示す図である。
【図４】本発明の第２の典型的な実施形態を実施するのに使用することができる典型的な方法を示す図である。
【図１】
2005524912.tif 000002
【図２】
2005524912.tif 000003
【図３】
2005524912.tif 000004
【図４】
2005524912.tif 000005